(57)【要約】【課題】従来は、引き出しの高さを変えることができなかったため、引き出しの高さと収納物の大きさが合わずに、無駄な空間が生じることがあり、また、その収納物の大きさや収納物の量が変化した場合にも対応することが困難で、不便性が生じていた。これを解決するため、高さの変えられる引き出しを提供する。【解決手段】引き出しを、上部ユニット（２）と下部ユニット（３）の組み合わせで構成し、上部ユニット（２）の数を変えることで、引き出しの高さ（１１）を変えられるようにし、その高さの変えられる引き出しを備えた家具、および引き出しのユニットを着脱自在に連結できる連結用ボルトを提供する。【選択図】  図１
2004154218.tif 000002
【特許請求の範囲】
【請求項１】
前板と向板と一対の側板を有する引き出しの上部ユニット（２）と、上部ユニット（２）に底板を加えて構成される引き出しの下部ユニット（３）を、着脱自在な連結装置により上下方向に連結し、上部ユニット（２）の数を変えることにより高さ（１１）を変えられる引き出し。
【請求項２】
請求項１に係る高さを変えられる引き出しを備えた家具。
【請求項３】
請求項１に係る高さを変えられる引き出しの各ユニットを、着脱自在に連結することができる、雌ネジと雄ネジとを有する連結用ボルト。
【発明の詳細な説明】
【０００１】
【発明の属する技術分野】
本発明は、高さを変えられる引き出しと、その引き出しを備えた家具、および引き出しの高さを変えるための、雌ネジと雄ネジとを有する連結用ボルトに関するものである。
【０００２】
【従来の技術】
従来、引き出しを複数個備えた家具においては、引き出しの高さを均一に揃えたものもあるが、多くの場合は各引き出しの高さを異なるものにすることにより、大きさの異なる収納物に対応させていた。しかし引き出しの高さは変えられなかった。
【０００３】
【発明が解決しようとする課題】
そのために、次のような欠点があった。
（イ）収納物の大きさが引き出しの高さより小さい場合には引き出しの上部に無駄な空間ができた。
（ロ）しかし収納物の大きさに応じて引き出しの高さを調節するということができないため、収納物を種類別に効率よく引き出しの中に収納することは困難であった。
（ハ）また例えば、引き出しに収納していたＢ５サイズのファイルの数量が減り、Ａ４サイズのファイルの数量が増えた場合のように、大きさの異なる収納物の量が変わった場合には、引き出しの高さが合わずに収納できなくなるという不便さがあった。
本発明は、これらの欠点を解決するためになされたものである。
【０００４】
【課題を解決するための手段】
前板と向板と一対の側板を有する引き出しの上部ユニット（２）と、上部ユニット（２）に底板を加えて構成される引き出しの下部ユニット（３）を、着脱自在な連結装置により上下方向に連結し、上部ユニット（２）の数を変えることにより高さを変えられる引き出しと、その引き出しを備えた家具、および前記ユニットを着脱自在に連結することができる、雌ネジと雄ネジとを有する連結用ボルトを提供する。
【０００５】
【発明の実施の形態】
以下、本発明の実施の形態について説明する。本発明の請求項１に係る引き出しを図１に示す。図１において（イ）は、引き出し１ａの斜視図であり、２個の上部ユニット２と１個の下部ユニット３の連結で構成されている。
【０００６】
図１（ロ）は図１（イ）の引き出し１ａの分解斜視図である。上部ユニット２は前板２１、一対の側板２２、向板２３とからなり、底板は有していない。下部ユニット３は、前板３１、一対の側板３２、向板３３および底板３５を有し、持ち手３４を備えている。
【０００７】
図１（イ）および（ロ）においては、上部ユニット２の数を２個で示したが、上部ユニット２の数を０個または１個以上の数とすることで、引き出しの高さ１１を変えることができる。
【０００８】
引き出しの各ユニットの連結方法の実施例１を図２に示す。図２は請求項３に係る連結用ボルトを使用して、各ユニットを連結する例である。まず下部ユニット３は上辺に複数個の埋込ナット４ｂを備えている。下部ユニットは、上部ユニット２が連結されない場合は単独で引き出しとなるものである。下部ユニット３の直上に連結される上部ユニット２は、下部ユニット３に埋設された埋込ナット４ｂの位置と数に対応した貫通孔４ａを備え、その貫通孔４ａに挿通されて下部ユニット３の埋込ナット４ｂに螺着される連結用ボルト９により、下部ユニット３に着脱自在に連結される。そのまた上位に連結される上部ユニット２も、連結用ボルト９により下位の上部ユニット２に着脱自在に連結される。
【０００９】
各ユニットを定着させるために、上部ユニットの下辺に図示しないダボを突設し、各ユニットの上辺に図示しないダボ穴を穿設して、両者を嵌合させてもよい。
【００１０】
各ユニットの連結方法の実施例２を図３に示す。図３（イ）は各ユニットを嵌合式のフックで着脱自在に連結させる場合の分解斜視図である。上部ユニット２は前板と向板、または側板同士の相対する内面の下辺部に突設された、複数個のアーム型フック５ａを備え、上辺部には別の上部ユニットのアーム型フック５ａが嵌脱できるフック受け５ｂを備えている。下部ユニット３はフック受け５ｂのみを備えている。このアーム型フック５ａを、図３（ロ）に示すように、相対するフック受け５ｂにまず上から嵌め込み、さらに横にスライドさせて嵌合することにより、各ユニットは着脱自在に連結される。図３（イ）においては、上部ユニット２の数を２個で示したが、上部ユニット２の数を０個または１個以上の数とすることで、引き出しの高さを変えることができる。
【００１１】
請求項２に係る実施例１を図４および図５に示す。図４（イ）は２個の上部ユニット２と、１個の下部ユニット３を連結した引き出し１ａを４組備えた家具の例であり、天板６１と底板６２と背面板６３と一対の側板６４とを有する箱体６と、移動可能な３枚の棚板８と、前記の引き出し１ａとで構成され、引き出し１ａは棚板８で支持されている。この図４（イ）に示された４組の引き出し１ａは高さが等しいが、最上段の引き出し１ａの上部ユニット２を２個と、上から２段目の引き出し１ａの上部ユニット２を１個取り外し、その取り外した３個の上部ユニット２を、上から３段目と４段目の引き出し１ａにそれぞれ１個と２個を連結し、棚板８の位置を図４（ロ）の位置に移動させるというようにして、図４（ロ）に示す高さの異なる４組の引き出し１ｂ、１ｃ、１ｄ、１ｅを備えた家具を得ることができる。
【００１２】
図４（ロ）のＡ−Ａ断面図を図５に示す。箱体６内における棚板８の移動は、図５に示すように、箱体６の一対の側板６４の内面に設けられた着脱可能なダボ７ａを移動し、移動したダボ７ａと棚板８の下に設けられたダボ受けとの嵌着により行う。ダボ穴７ｂの上下方向のピッチは、引き出しの上部ユニット２の高さと同一にする。
【００１３】
請求項２に係る実施例２として、引き出しが横桟で支持される家具の例を図６から図８に示す。図６（イ）は、２個の上部ユニット２と、１個の下部ユニット３を連結した引き出し１ｆを、３組備えた家具の例であり、天板６１と底板６２と背面板６３と一対の側板６４とを有する箱体６と、一対の側板６４の内面に備えられた横桟７ｃと、前記の引き出し１ｆとで構成されている。各引き出しは、横桟７ｃと、引き出しの各ユニットの両側板の外面に設けられた溝７ｄとを、前後方向にスライドできるように嵌合させて支持されている。図６（イ）の、３組の引き出し１ｆの高さは同じであるが、最上段の引き出しの上部ユニット２を１個取り外し、最下段の引き出しに連結すると、図６（ロ）に示す、高さの異なる引き出し１ｇ、１ｆ、１ｈを備えた家具を得ることができる。
【００１４】
図６（ロ）のＢ−Ｂ断面図を図７（イ）に示す。図７（イ）において横桟７ｃの上下方向のピッチは、引き出しの上部ユニット２の高さと同一にする。また図７（ロ）の部分断面詳細図に示すように、横桟７ｃの大きさは全て同一とするが、溝７ｄの大きさについては、上部ユニット２の溝７ｄを、下部ユニット３の溝７ｄよりも大きいものに設定することにより、引き出しをスムーズに出し入れすることができる。引き出し１ｆの斜視図を図８に示す。
【００１５】
請求項３に係る連結用ボルトの実施例を図９と図１０に示す。本発明品の連結用ボルトは下部に雄ネジ９ｂを有し、上部にはその雄ネジ９ｂと同じ径を有する雌ネジ９ａを有し、ボルト頭９ｄには、このボルトをナットに螺合させる道具、たとえばドライバーやレンチに対応できる形状を有している。図９（イ）はボルト頭９ｄが六角ボルトの形状を備えている例であり、図９（ロ）は、（イ）に座金９ｅを一体化して添設した例であり、図９（ハ）は、（イ）にドライバー類に対応するボルト溝９ｆを加えた例である。また図９（ニ）は、円形平板状のボルト頭９ｄを備えた例であり、前記と同様の溝９ｆを備えている。図９（ホ）は頭部が雌ネジ部の外形と同じ形状で、前記と同様の溝９ｆを有しているものである。図９（ヘ）は（ニ）のＣ−Ｃ断面図である。図９（イ）から（へ）において、雄ネジ９ｂは雄ネジ部９ｃの一部に加工してあるが、雄ネジ部９ｃの全てに加工してもよい。
【００１６】
連結用ボルト９の使用詳細図を図１０に示す。図１０（イ）は、図９（ニ）を例とした連結用ボルトの連結状態である。１本目のボルトの雌ネジに２本目のボルトを螺着し、同様に２本目のボルトの雌ネジに３本目のボルトを螺着するというようにして、複数の連結ボルトが連結される。
【００１７】
連結用ボルトの、高さを変えられる引き出しへの使用例の詳細を図１０（ロ）および（ハ）に示す。図１０（ロ）は引き出しの連結用ボルト部分の詳細図であり、連結用ボルト９を、上部ユニット２の貫通孔４ａを挿通して、下部ユニット３に埋設された埋込ナット４ｂに螺着することにより、上部ユニットを下部ユニットに着脱自在に連結する。
【００１８】
貫通孔４ａは連結用ボルトの形状に合致した形状とし、連結用ボルトを係止するための段部を有している。連結用ボルト９の頂部は上部ユニットの上辺より飛び出さない位置に止める。
【００１９】
図１０（ロ）の上部に、べつの上部ユニット２を、連結用ボルト９により、下位の上部ユニット２に使用している連結用ボルト９の雌ネジに螺着し連結すると、図１０（ハ）となる。このようにして、引き出しの上部ユニット２に合わせた長さの連結ボルト９を連結して使用することにより、図２および図１０（ロ）と（ハ）に示す、請求項１の実施例１に係る引き出しの、着脱自在な連結を構成させるものである。
【００２０】
【本発明の効果】
本発明によれば、引き出しの高さを変えることができるため、引き出しの収納物の大きさや、収納物の量の変化に対応できるようになり、次のような効果がある。
（イ）ビデオカセットや、ＣＤなどの規格寸法を持った収納目的物に合わせて、引き出しの高さを調節することが可能になるため、整理がしやすく、また空間を無駄なく有効に利用することができる。
（ロ）衣類の整理箪笥に使用した場合には、たとえば厚手の冬物の衣料と、薄手の夏物の衣料を入れ替えるという場合にも、引き出しの高さを変え、その量の変化に対応することができ、また引き出しの上下の位置も変えることができるため、利便性が増大する。
（ハ）事務用家具の引き出しの場合においては、先述したように、異なるサイズのファイルの増減にも対応できるようになり、空間を無駄なく有効に利用することができる。
（ニ）請求項１の実施例１において図２に示した、連結用ボルトによる引き出しのユニットの連結の例では、適切な連結ボルトのサイズおよび本数を使用することにより、大型の引き出しでも対応が可能である。
（ホ）請求項２に係る家具において、たとえば図６（ロ）の最上段の引き出し１ｇの下部ユニット３を、別の上部ユニットに交換し、中段の引き出し１ｆに連結すれば、引き出し１ｇと１ｆが１個の引き出しとなり、引き出しの数が３個から２個になって、引き出しの数をも変えることができる。
（へ）（ホ）の方法を応用すると、前記図６（ロ）の家具を複数個所持している場合には、複数個の家具の間で上部ユニット、下部ユニットを相互にやり取りすることによって、各家具の引き出しの高さと個数をも収納目的物にあわせて都合よく変えられるという、多大な利便性が得られる。
【図面の簡単な説明】
【図１】本発明請求項１の引き出しの斜視図である。
（イ）は引き出しを組み立てた図である。
（ロ）は引き出しの分解斜視図である。
【図２】本発明請求項１の実施例１を示す分解斜視図である。
【図３】本発明請求項１の実施例２を示す図である。
（イ）は分解斜視図である。
（ロ）はアーム型フック部分の嵌合詳細図である。
【図４】本発明請求項２の実施例１を示す図である。
（イ）は引き出し４組を備えた家具の斜視図である。
（ロ）は（イ）の引き出しのユニットの組み合わせを変更した家具の斜視図である。
【図５】図４（ロ）のＡ−Ａ断面図である。
【図６】本発明請求項２の実施例２を示す図である。
（イ）は引き出し３組を備えた家具の斜視図である。
（ロ）は（イ）の引き出しのユニットの組み合わせを変更した家具の斜視図である
【図７】図６（ロ）のＢ−Ｂ断面図である
（イ）は全体の断面図である。
（ロ）は（イ）の引き出し１ｆ部分の断面詳細図である。
【図８】図６の引き出し１ｆの斜視図である
【図９】本発明請求項３の連結用ボルトの実施例を示す図である。
（イ）はボルト頭に六角ボルトの形状を備えたボルト。
（ロ）は（イ）に座金を加えたボルト。
（ハ）は（イ）にボルト溝を加えたボルト。
（ニ）はボルト頭が円形平板状のボルト。
（ホ）は頭部が雌ネジ部と同じ形状のボルト。
（へ）は（ニ）のＣ−Ｃ断面図。
【図１０】同じく連結用ボルトの使用詳細図である。
（イ）は連結図。
（ロ）および（ハ）は引き出しへの使用例。
【符号の説明】
１ａ、１ｂ，１ｃ，１ｄ，１ｅ，１ｆ，１ｇ，１ｈ  引き出し
２  上部ユニット
３  下部ユニット
２１、３１  前板
２２、３２  側板
２３、３３  向板
３４  持ち手
３５  底板
４ａ  貫通孔
４ｂ  埋込ナット
５ａ  アーム型フック
５ｂ  フック受け
６    箱体
６１  天板
６２  底板
６３  背面板
６４  側板
７ａ  ダボ
７ｂ  ダボ穴
７ｃ  横桟
７ｄ  溝
８    棚板
９  連結用ボルト
９ａ  雌ネジ
９ｂ  雄ネジ
９ｃ  雄ネジ部
９ｄ  ボルト頭
９ｅ  座金
９ｆ  ボルト溝
【図１】
2004154218.tif 000003
【図２】
2004154218.tif 000004
【図３】
2004154218.tif 000005
【図４】
2004154218.tif 000006
【図５】
2004154218.tif 000007
【図６】
2004154218.tif 000008
【図７】
2004154218.tif 000009
【図８】
2004154218.tif 000010
【図９】
2004154218.tif 000011
【図１０】
2004154218.tif 000012